(57)【要約】【課題】本発明は車屋根キャリーケースを開示した。【解決手段】ケース本体と前記ケース本体の頂壁の中に設けられた上方に開口した収納溝を含み、前記収納溝の左側端壁の中には回転チャンバが設けられ、前記回転チャンバの中には前後に伸びている第一回転軸が回転できるように設けられ、前記第一回転軸の外表面にはケース蓋とウォームホイールが固定的に設けられ、前記回転チャンバの底壁の中には伝動チャンバが設けられ、本発明の車屋根キャリーケースは固定と取り外しとが便利であり、自動的にキャリーケースを開けることができるだけではなく、はしごの伸びと収納を駆動することもでき、使用が便利である。【選択図】図１
2020175873.tif 000002
【特許請求の範囲】
【請求項１】
ケース本体と前記ケース本体の頂壁の中に設けられた上方に開口した収納溝を含み、前記収納溝の左側端壁の中には回転チャンバが設けられ、前記回転チャンバの中には前後に伸びている第一回転軸が回転できるように設けられ、前記第一回転軸の外表面にはケース蓋とウォームホイールが固定的に設けられ、前記回転チャンバの底壁の中には伝動チャンバが設けられ、前記伝動チャンバと前記回転チャンバとの間には前記ウォームホイールと噛み合うウォームが回転できるように設けられ、前記伝動チャンバの中の前記ウォームの末端には第一傘歯車が固定的に取り付けられ、前記伝動チャンバの右側端壁の中にはスライドチャンバが設けられ、前記スライドチャンバの中にはスライドブロックがスライドできるように設けられ、前記スライドブロックの左側端壁の中にはねじ山穴が設けられ、前記ねじ山穴の中には左へ伸びているねじ山ロッドがねじ山によって係合し連結され、前記ねじ山ロッドのうち左に伸びている末端が前記伝動チャンバを貫通し、かつ前記伝動チャンバの左側端壁の中に固定的に連結された第一モーターと動力が伝達できるように連結され、前記伝動チャンバの中の前記ねじ山ロッドの外表面には前記第一傘歯車と噛み合う第二傘歯車が固定的に連結され、前記スライドチャンバの右側端壁の中には外部に連通している連通穴と前記連通穴の下方に位置しているスライド溝とが設けられ、前記スライド溝の中には固定ブロックがスライドできるように設けられ、前記固定ブロックの底壁の中には第二モーターが設けられ、前記第二モーターの底部末端には第一歯車が固定的に設けられ、前記スライド溝の底壁の中には切り替えチャンバが設けられ、前記スライド溝と前記スライドチャンバとの間には第一スライド穴が連通し設けられ、前記第一スライド穴の中には前記固定ブロックと固定的に連結された第一スライドロッドがスライドできるように設けられ、前記第一スライドロッドの上下端壁には第一復帰装置が固定的に設けられ、前記ウォームホイールが回転し、これにより前記ケース蓋を開け、同時に前記スライドブロックをスライド連動させることを特徴とする車屋根キャリーケース。
【請求項２】
前記切り替えチャンバの底壁の中にはカムチャンバが設けられ、前記カムチャンバと前記切り替えチャンバとの間には第一回転軸が回転できるように設けられ、前記カムチャンバの中の前記第一回転軸の末端には第二歯車が固定的に設けられ、前記カムチャンバの中の前記第一回転軸の末端には両面カムが固定的に設けられ、前記カムチャンバの左右端壁の中には下方に開口したロック溝が設けられ、前記ロック溝と前記カムチャンバとの間には第二スライド穴が連通し設けられ、前記第二スライド穴の中には第二スライドロッドがスライドできるように設けられ、前記第二スライドロッドと前記第二スライド穴の底壁との間には第二復帰装置が弾性的に設けられ、前記切り替えチャンバの頂壁の中にはベルトチャンバが設けられ、前記ベルトチャンバと前記切り替えチャンバとの間には第二回転軸が回転できるように設けられ、前記切り替えチャンバの中の前記第二回転軸の末端には第三歯車が固定的に設けられ、前記ベルトチャンバの中の前記第二回転軸の末端には第三傘歯車が固定的に設けられ、前記ベルトチャンバの中には第三回転軸が回転できるように設けられ、前記第三回転軸の外表面には第四傘歯車と前記第四傘歯車の前側に位置している第一プーリーとが固定的に設けられ、前記ベルトチャンバの右側には振りチャンバが連通し設けられ、前記振りチャンバの中には前後に伸びている第四回転軸が回転できるように設けられ、前記第四回転軸の外表面には第二プーリーと前記第二プーリーの前後両側に位置している回転カムとが固定的に設けられ、前記第二プーリーと前記第一プーリーとの間にはベルトにより伝動できるように係合し連結され、前記両面カムが回転して前記第二スライドロッドを押圧し両側に移動させて前記第二スライドロッドの左右両側を押圧し、それにより前記キャリーケースをルーフキャリアに固定することを特徴とする請求項１に記載の車屋根キャリーケース。
【請求項３】
前記連通穴の中には前記スライドブロックの右側とヒンジによって連結されたはしご枠がスライドできるように設けられ、前記はしご枠の右側端壁の中には右方に開口した保存溝が設けられ、前記保存溝の中にははしごがスライドできるように設けられ、前記はしごと前記保存溝の底壁との間には第三復帰装置が弾性的に設けられ、前記はしごを利用し、使用者が登ることに便利であり、これにより物を入れることに便利であることを特徴とする請求項１に記載の車屋根キャリーケース。
【発明の詳細な説明】
【技術分野】
【０００１】
本発明は車用品分野を取り上げて、具体的には車屋根キャリーケースである。
【背景技術】
【０００２】
人々は車で旅行する時に、常に車の空間が足りないことに悩み、充分の量の生活用品を携帯できなく、伝統的な車キャリーケースが屋根に固定され、取り外すことが困難であり、物を取り出すことも不便であり、従って、車屋根キャリーケースが必要とされ、上記の問題を解決する。
【先行技術文献】
【特許文献】
【０００３】
【特許文献１】中国特許出願公開第105644451号明細書
【発明の概要】
【発明が解決しようとする課題】
【０００４】
本発明の目的は車屋根キャリーケースを提供し、それは上記の現在の技術中の問題を解決できる。
【課題を解決するための手段】
【０００５】
本発明の車屋根キャリーケースは、ケース本体と前記ケース本体の頂壁の中に設けられた上方に開口した収納溝を含み、前記収納溝の左側端壁の中には回転チャンバが設けられ、前記回転チャンバの中には前後に伸びている第一回転軸が回転できるように設けられ、前記第一回転軸の外表面にはケース蓋とウォームホイールが固定的に設けられ、前記回転チャンバの底壁の中には伝動チャンバが設けられ、前記伝動チャンバと前記回転チャンバとの間には前記ウォームホイールと噛み合うウォームが回転できるように設けられ、前記伝動チャンバの中の前記ウォームの末端には第一傘歯車が固定的に取り付けられ、前記伝動チャンバの右側端壁の中にはスライドチャンバが設けられ、前記スライドチャンバの中にはスライドブロックがスライドできるように設けられ、前記スライドブロックの左側端壁の中にはねじ山穴が設けられ、前記ねじ山穴の中には左へ伸びているねじ山ロッドがねじ山によって係合し連結され、前記ねじ山ロッドのうち左に伸びている末端が前記伝動チャンバを貫通し、かつ前記伝動チャンバの左側端壁の中に固定的に連結された第一モーターと動力が伝達できるように連結され、前記伝動チャンバの中の前記ねじ山ロッドの外表面には前記第一傘歯車と噛み合う第二傘歯車が固定的に連結され、前記スライドチャンバの右側端壁の中には外部に連通している連通穴と前記連通穴の下方に位置しているスライド溝とが設けられ、前記スライド溝の中には固定ブロックがスライドできるように設けられ、前記固定ブロックの底壁の中には第二モーターが設けられ、前記第二モーターの底部末端には第一歯車が固定的に設けられ、前記スライド溝の底壁の中には切り替えチャンバが設けられ、前記スライド溝と前記スライドチャンバとの間には第一スライド穴が連通し設けられ、前記第一スライド穴の中には前記固定ブロックと固定的に連結された第一スライドロッドがスライドできるように設けられ、前記第一スライドロッドの上下端壁には第一復帰装置が固定的に設けられ、前記ウォームホイールが回転し、これにより前記ケース蓋を開け、同時に前記スライドブロックをスライド連動させる。
【０００６】
優選の技術プランとして、前記切り替えチャンバの底壁の中にはカムチャンバが設けられ、前記カムチャンバと前記切り替えチャンバとの間には第一回転軸が回転できるように設けられ、前記カムチャンバの中の前記第一回転軸の末端には第二歯車が固定的に設けられ、前記カムチャンバの中の前記第一回転軸の末端には両面カムが固定的に設けられ、前記カムチャンバの左右端壁の中には下方に開口したロック溝が設けられ、前記ロック溝と前記カムチャンバとの間には第二スライド穴が連通し設けられ、前記第二スライド穴の中には第二スライドロッドがスライドできるように設けられ、前記第二スライドロッドと前記第二スライド穴の底壁との間には第二復帰装置が弾性的に設けられ、前記切り替えチャンバの頂壁の中にはベルトチャンバが設けられ、前記ベルトチャンバと前記切り替えチャンバとの間には第二回転軸が回転できるように設けられ、前記切り替えチャンバの中の前記第二回転軸の末端には第三歯車が固定的に設けられ、前記ベルトチャンバの中の前記第二回転軸の末端には第三傘歯車が固定的に設けられ、前記ベルトチャンバの中には第三回転軸が回転できるように設けられ、前記第三回転軸の外表面には第四傘歯車と前記第四傘歯車の前側に位置している第一プーリーとが固定的に設けられ、前記ベルトチャンバの右側には振りチャンバが連通し設けられ、前記振りチャンバの中には前後に伸びている第四回転軸が回転できるように設けられ、前記第四回転軸の外表面には第二プーリーと前記第二プーリーの前後両側に位置している回転カムとが固定的に設けられ、前記第二プーリーと前記第一プーリーとの間にはベルトにより伝動できるように係合し連結され、前記両面カムが回転して前記第二スライドロッドを押圧し両側に移動させて前記第二スライドロッドの左右両側を押圧し、それにより前記キャリーケースをルーフキャリアに固定する。
【０００７】
優選の技術プランとして、前記連通穴の中には前記スライドブロックの右側とヒンジによって連結されたはしご枠がスライドできるように設けられ、前記はしご枠の右側端壁の中には右方に開口した保存溝が設けられ、前記保存溝の中にははしごがスライドできるように設けられ、前記はしごと前記保存溝の底壁との間には第三復帰装置が弾性的に設けられ、前記はしごを利用し、使用者が登ることに便利であり、これにより物を入れることに便利である。
【発明の効果】
【０００８】
本発明の車屋根キャリーケースは固定と取り外しとが便利であり、自動的にキャリーケースを開けることができるだけではなく、はしごの伸びと収納を駆動することもでき、使用が便利である。
【図面の簡単な説明】
【０００９】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明の車屋根キャリーケースの全体構成略図
【図２】図２は図１のＡの拡大構成略図
【図３】図３は図１のＢの拡大構成略図
【図４】図４は図１のＣの拡大構成略図
【図５】図５は図１の両面カムの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
以下、図１−５を合わせて本発明について詳しく説明し、また、説明の便利を図るため、下記に記載の上下左右前後方向が図１自身の投影関係の上下左右前後方向と一致することにする。
【００１３】
図１−５を参照し、本発明の車屋根キャリーケースは、ケース本体１０と前記ケース本体１０の頂壁の中に設けられた上方に開口した収納溝２１を含み、前記収納溝２１の左側端壁の中には回転チャンバ１９が設けられ、前記回転チャンバ１９の中には前後に伸びている第一回転軸１６が回転できるように設けられ、前記第一回転軸１６の外表面にはケース蓋２０とウォームホイール１７が固定的に設けられ、前記回転チャンバ１９の底壁の中には伝動チャンバ１２が設けられ、前記伝動チャンバ１２と前記回転チャンバ１９との間には前記ウォームホイール１７と噛み合うウォーム１８が回転できるように設けられ、前記伝動チャンバ１２の中の前記ウォーム１８の末端には第一傘歯車１５が固定的に取り付けられ、前記伝動チャンバ１２の右側端壁の中にはスライドチャンバ３５が設けられ、前記スライドチャンバ３５の中にはスライドブロック１１がスライドできるように設けられ、前記スライドブロック１１の左側端壁の中にはねじ山穴３６が設けられ、前記ねじ山穴３６の中には左へ伸びているねじ山ロッド３８がねじ山によって係合し連結され、前記ねじ山ロッド３８のうち左に伸びている末端が前記伝動チャンバ１２を貫通し、かつ前記伝動チャンバ１２の左側端壁の中に固定的に連結された第一モーター１３と動力が伝達できるように連結され、前記伝動チャンバ１２の中の前記ねじ山ロッド３８の外表面には前記第一傘歯車１５と噛み合う第二傘歯車１４が固定的に連結され、前記スライドチャンバ３５の右側端壁の中には外部に連通している連通穴２２と前記連通穴２２の下方に位置しているスライド溝４２とが設けられ、前記スライド溝４２の中には固定ブロック４０がスライドできるように設けられ、前記固定ブロック４０の底壁の中には第二モーター４１が設けられ、前記第二モーター４１の底部末端には第一歯車５２が固定的に設けられ、前記スライド溝４２の底壁の中には切り替えチャンバ５６が設けられ、前記スライド溝４２と前記スライドチャンバ３５との間には第一スライド穴５８が連通し設けられ、前記第一スライド穴５８の中には前記固定ブロック４０と固定的に連結された第一スライドロッド５９がスライドできるように設けられ、前記第一スライドロッド５９の上下端壁には第一復帰装置３９が固定的に設けられ、前記ウォームホイール１７が回転し、これにより前記ケース蓋２０を開け、同時に前記スライドブロック１１をスライド連動させる。
【００１４】
有益的には、前記切り替えチャンバ５６の底壁の中にはカムチャンバ５７が設けられ、前記カムチャンバ５７と前記切り替えチャンバ５６との間には第一回転軸５４が回転できるように設けられ、前記カムチャンバ５７の中の前記第一回転軸５４の末端には第二歯車５３が固定的に設けられ、前記カムチャンバ５７の中の前記第一回転軸５４の末端には両面カム５５が固定的に設けられ、前記カムチャンバ５７の左右端壁の中には下方に開口したロック溝３７が設けられ、前記ロック溝３７と前記カムチャンバ５７との間には第二スライド穴３２が連通し設けられ、前記第二スライド穴３２の中には第二スライドロッド３３がスライドできるように設けられ、前記第二スライドロッド３３と前記第二スライド穴３２の底壁との間には第二復帰装置３４が弾性的に設けられ、前記切り替えチャンバ５６の頂壁の中にはベルトチャンバ４７が設けられ、前記ベルトチャンバ４７と前記切り替えチャンバ５６との間には第二回転軸５０が回転できるように設けられ、前記切り替えチャンバ５６の中の前記第二回転軸５０の末端には第三歯車５１が固定的に設けられ、前記ベルトチャンバ４７の中の前記第二回転軸５０の末端には第三傘歯車４９が固定的に設けられ、前記ベルトチャンバ４７の中には第三回転軸４４が回転できるように設けられ、前記第三回転軸４４の外表面には第四傘歯車４５と前記第四傘歯車４５の前側に位置している第一プーリー４３とが固定的に設けられ、前記ベルトチャンバ４７の右側には振りチャンバ３１が連通し設けられ、前記振りチャンバ３１の中には前後に伸びている第四回転軸２８が回転できるように設けられ、前記第四回転軸２８の外表面には第二プーリー２９と前記第二プーリー２９の前後両側に位置している回転カム３０とが固定的に設けられ、前記第二プーリー２９と前記第一プーリー４３との間にはベルト４６により伝動できるように係合し連結され、前記両面カム５５が回転して前記第二スライドロッド３３を押圧し両側に移動させて前記第二スライドロッド３３の左右両側を押圧し、それにより前記キャリーケースをルーフキャリアに固定する。
【００１５】
有益的には、前記連通穴２２の中には前記スライドブロック１１の右側とヒンジによって連結されたはしご枠２７がスライドできるように設けられ、前記はしご枠２７の右側端壁の中には右方に開口した保存溝２５が設けられ、前記保存溝２５の中にははしご２４がスライドできるように設けられ、前記はしご２４と前記保存溝２５の底壁との間には第三復帰装置２６が弾性的に設けられ、前記はしご２４を利用し、使用者が登ることに便利であり、これにより物を入れることに便利である。
【００１６】
以下、図１−５及び上記説明した本申請の車屋根キャリーケースの具体的な構成を参照し、車屋根キャリーケースの使用方法を紹介する：
【００１７】
設備を使用する時に、前記設備を車の頂部に置き、前記ロック溝３７と車の頂部のルーフキャリアとを揃え、前記第二モーター４１を作動させ、前記第二モーター４１が回転して前記第一歯車５２と、第二歯車５３及び両面カム５５を回転連動させ、前記両面カム５５が回転して前記第二スライドロッド３３を押圧し両側に移動させて前記第二スライドロッド３３を左右両側に押圧し、それにより前記キャリーケースをルーフキャリアに固定し、物を置く時に、前記第一モーター１３を作動させ、前記第一モーター１３が回転して前記ねじ山ロッド３８を回転連動させ、前記ねじ山ロッド３８が回転して前記第二傘歯車１４を回転連動させ、これにより前記第一傘歯車１５を回転連動させ、これにより前記ウォーム１８を回転連動させ、これにより前記ウォームホイール１７を回転連動させ、これにより前記ケース蓋２０を開け、同時に前記ねじ山ロッド３８が回転してスライドブロック１１を右に移動連動させ、前記ケース蓋２０が完全に開けられた時、前記スライドブロック１１と前記第一スライドロッド５９とが当接し、これにより前記固定ブロック４０を右に移動連動させ、これにより前記第一歯車５２と前記第三歯車５１とを噛合させ、その時に前記第二モーター４１を作動させ、前記第二モーター４１が回転して前記第一歯車５２を回転連動させ、これにより前記第三歯車５１と、第三傘歯車４９と、第一プーリー４３と、第二傘歯車２９及び回転カム３０を適する角度に回転連動させ、その時に前記はしご枠２７が回転カム３０との当接を失い、前記はしご枠２７が下に回転する時、下に前記はしご２４を引き、使用者が登ることに便利であり、これにより物を入れることに便利である。
【００１８】
上記の説明により：本発明の車屋根キャリーケースは固定と取り外しとが便利であり、自動的にキャリーケースを開けることができるだけではなく、はしごの伸びと収納を駆動することもでき、使用が便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175873.tif 000003
【図２】
2020175873.tif 000004
【図３】
2020175873.tif 000005
【図４】
2020175873.tif 000006
【図５】
2020175873.tif 000007